【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
記録媒体の位置を調整する媒体搬送部と、
前記記録媒体にインクを吐出するインクジェットヘッドによる記録の準備に係る処理を行う記録準備部と、
前記媒体搬送部による前記記録媒体の位置の調整に係る処理と、前記記録準備部による前記インクジェットヘッドがインクを吐出するための事前処理の少なくとも一部の処理と、を同時に実行させる処理管理部と、を備えることを特徴とする記録装置。
【請求項２】
前記記録媒体は、シール部が所定間隔をあけて取り剥がし可能に形成されたラベル用紙であり、
前記記録搬送部は、前記記録媒体への記録を開始する場合には、前記シール部に画像を記録するための記録媒体の位置を調整する頭出し処理を実行することを特徴とする請求項１に記載の記録装置。
【請求項３】
前記事前処理は、フラッシング、及び、キャップオープン処理を含み、
前記記録準備部は、キャップが設けられたホームポジションで、前記フラッシング、及び、キャップオープン処理を実行することを特徴とする請求項１または２に記載の記録装置。
【請求項４】
前記インクジェットヘッドは、ライン型の記録ヘッドであり、
前記媒体搬送部は、
記録のために前記記録媒体を搬送する際、搬送の開始後、加速期間を経て、その搬送の速度が一定となるように搬送し、
前記記録準備部は、
前記記録媒体に記録が行われていない間、前記インクジェットヘッドを前記記録媒体へ記録を行う固定位置から前記ホームポジションに移動させ、前記インクジェットヘッドによる記録の準備に係る処理を行い、
前記処理管理部は、
前記記録媒体への記録を開始する場合、前記記録媒体の搬送の速度が一定となる前に、前記ホームポジションに位置する前記インクジェットヘッドが前記固定位置に至るように、前記媒体搬送部による前記記録媒体の搬送を開始するタイミングを調整した上で、前記記録準備部による前記インクジェットヘッドの移動に係る処理と、前記媒体搬送部による前記記録媒体の搬送に係る処理と、を同時に実行させることを特徴とする請求項３に記載の記録装置。
【請求項５】
ＣＰＵにおける前記媒体搬送部の処理に係るタスクと、前記記録準備部の処理に係るタスクとを連係して管理することによって、各タスクの機能によって実行される各処理の実行のタイミングを調整することにより、前記処理管理部の機能を実現することを特徴とする請求項１ないし４のいずれかに記載の記録装置。
【請求項６】
インクを吐出するインクジェットヘッドにより記録媒体に記録を行う記録装置に接続可能な制御装置であって、
前記記録媒体の位置を調整させる媒体搬送部と、
前記記録媒体にインクを吐出するインクジェットヘッドによる記録の準備に係る処理を行わせる記録準備部と、
前記媒体搬送部による前記記録媒体の位置の調整に係る処理と、前記記録準備部による前記インクジェットヘッドがインクを吐出するための事前処理の少なくとも一部の処理と、を同時に実行させる処理管理部と、を備えることを特徴とする制御装置。
【請求項７】
インクを吐出するインクジェットヘッドにより記録媒体に記録する制御方法であって、
前記記録媒体の位置の調整に係る処理と、インクジェットヘッドがインクを吐出するための事前処理の少なくとも一部の処理と、を同時に実行させることを特徴とする記録装置の制御方法。
【請求項８】
インクを吐出するインクジェットヘッドにより記録媒体に記録する記録装置の各部を制御する制御部により実行されるプログラムであって、
前記制御部を、
前記記録媒体の位置を調整する媒体搬送部と、
前記記録媒体にインクを吐出するインクジェットヘッドによる記録の準備に係る処理を行う記録準備部と、
前記媒体搬送部による前記記録媒体の位置の調整に係る処理と、前記記録準備部による前記インクジェットヘッドがインクを吐出するための事前処理の少なくとも一部の処理と、を同時に実行させる処理管理部と、
として機能させることを特徴とするプログラム。
【手続補正２】
【補正対象書類名】明細書
【補正対象項目名】０００５
【補正方法】変更
【補正の内容】
【０００５】
上記目的を達成するために、本発明の記録装置は、記録媒体の位置を調整する媒体搬送部と、前記記録媒体にインクを吐出するインクジェットヘッドによる記録の準備に係る処理を行う記録準備部と、前記媒体搬送部による前記記録媒体の位置の調整に係る処理と、前記記録準備部による前記インクジェットヘッドがインクを吐出するための事前処理の少なくとも一部の処理と、を同時に実行させる処理管理部と、を備えることを特徴とする。
また、本発明の記録装置は、前記記録媒体は、シール部が所定間隔をあけて取り剥がし可能に形成されたラベル用紙であり、前記記録搬送部は、前記記録媒体への記録を開始する場合には、前記シール部に画像を記録するための記録媒体の位置を調整する頭出し処理を実行することを特徴とする。
また、本発明の記録装置は、前記事前処理は、フラッシング、及び、キャップオープン処理を含み、前記記録準備部は、キャップが設けられたホームポジションで、前記フラッシング、及び、キャップオープン処理を実行することを特徴とする。
また、本発明の記録装置は、前記インクジェットヘッドは、ライン型の記録ヘッドであり、前記媒体搬送部は、記録のために前記記録媒体を搬送する際、搬送の開始後、加速期間を経て、その搬送の速度が一定となるように搬送し、前記記録準備部は、前記記録媒体に記録が行われていない間、前記インクジェットヘッドを前記記録媒体へ記録を行う固定位置から前記ホームポジションに移動させ、前記インクジェットヘッドによる記録の準備に係る処理を行い、前記処理管理部は、前記記録媒体への記録を開始する場合、前記記録媒体の搬送の速度が一定となる前に、前記ホームポジションに位置する前記インクジェットヘッドが前記固定位置に至るように、前記媒体搬送部による前記記録媒体の搬送を開始するタイミングを調整した上で、前記記録準備部による前記インクジェットヘッドの移動に係る処理と、前記媒体搬送部による前記記録媒体の搬送に係る処理と、を同時に実行させることを特徴とする。
また、本発明の記録装置は、ＣＰＵにおける前記媒体搬送部の処理に係るタスクと、前記記録準備部の処理に係るタスクとを連係して管理することによって、各タスクの機能によって実行される各処理の実行のタイミングを調整することにより、前記処理管理部の機能を実現することを特徴とする。
また、上記目的を達成するために、本発明は、インクを吐出するインクジェットヘッドにより記録媒体に記録を行う記録装置に接続可能な制御装置であって、前記記録媒体の位置を調整させる媒体搬送部と、前記記録媒体にインクを吐出するインクジェットヘッドによる記録の準備に係る処理を行わせる記録準備部と、前記媒体搬送部による前記記録媒体の位置の調整に係る処理と、前記記録準備部による前記インクジェットヘッドがインクを吐出するための事前処理の少なくとも一部の処理と、を同時に実行させる処理管理部と、を備えることを特徴とする。
また、上記目的を達成するために、本発明は、インクを吐出するインクジェットヘッドにより記録媒体に記録する制御方法であって、前記記録媒体の位置の調整に係る処理と、インクジェットヘッドがインクを吐出するための事前処理の少なくとも一部の処理と、を同時に実行させることを特徴とする。
また、上記目的を達成するために、本発明は、インクを吐出するインクジェットヘッドにより記録媒体に記録する記録装置の各部を制御する制御部により実行されるプログラムであって、前記制御部を、前記記録媒体の位置を調整する媒体搬送部と、前記記録媒体にインクを吐出するインクジェットヘッドによる記録の準備に係る処理を行う記録準備部と、前記媒体搬送部による前記記録媒体の位置の調整に係る処理と、前記記録準備部による前記インクジェットヘッドがインクを吐出するための事前処理の少なくとも一部の処理と、を同時に実行させる処理管理部と、として機能させることを特徴とする。
また、上記目的を達成するために、本発明は、記録装置において、インクを吐出するインクジェットヘッドにより記録媒体に記録する記録部と、搬送機構により前記記録媒体を搬送すると共に、前記搬送機構を制御して前記記録媒体の位置を調整する媒体搬送部と、前記インクジェットヘッド、及び、関連する機構を制御して、前記インクジェットヘッドによる記録の準備に係る処理を行う記録準備部と、前記媒体搬送部による前記記録媒体の位置の調整に係る処理と、前記記録準備部による前記インクジェットヘッドによる記録の準備に係る処理との少なくとも一部を同時に実行させる処理管理部と、を備えることを特徴とする。
この構成によれば、搬送機構と、インクジェットヘッド及び関連する機構とが独立した機構であることを利用して、搬送機構による記録媒体の位置の調整に係る処理と、インクジェットヘッド及び関連する機構による記録の準備に係る処理との少なくとも一部を同時に実行させるため、これら処理を効率的に実行でき、スループットを向上することができる。